(57)【特許請求の範囲】
【請求項１】
連続熱処理炉の炉内にＵ字状に形成されたラジアントチューブをその一方の直線状部が被熱物と相対する形態にて該被熱物の進行方向に沿って定間隔を置いて複数本隣接状に配設し、該各ラジアントチューブの両端にバーナおよび蓄熱体を夫々設け、隣接するラジアントチューブの一方が被熱物に近い側のバーナを燃焼させているとき他方のラジアントチューブは被熱物から遠い側のバーナを燃焼させるようにしたことを特徴とする蓄熱式ラジアントチューブバーナ装置の燃焼方法。
【発明の詳細な説明】
【０００１】
【発明の属する技術分野】
本発明はＵ字状に形成されたラジアントチューブを炉内に複数本設けた連続熱処理炉における蓄熱式ラジアントチューブバーナ装置の燃焼方法に関するものである。
【０００２】
【従来の技術】
Ｕ字状に形成されたラジアントチューブの両端にバーナおよび蓄熱体を夫々設け、一端のバーナを燃焼させているときは他端のバーナは休止させその燃焼排ガスを他端の蓄熱体に貫流させることにより該蓄熱体に熱を蓄えると共に、一定時間毎にそのバーナの燃焼を交替させることにより、該蓄熱体に蓄えられた熱で燃焼用空気が予熱されるようにした蓄熱式ラジアントチューブバーナは、実公平６−１９９４１号，特公平６−２３６０５号，実公平２−２３９５０号等の公報によりすでに知られているように省エネルギー化に顕著な効果が認められる。
【０００３】
ところで金属ストリップ等の被熱物の連続熱処理炉にあっては、炉内に被熱物の進行方向に沿って上記のようなラジアントチューブが複数本隣接状に設けられるが、上記のように燃焼を交替させると加熱条件に変化を来たすことがあるため、被熱物を均一加熱できなくするおそれがあった。
【０００４】
【発明が解決しようとする課題】
本発明は上述に鑑みてなされたもので、Ｕ字状に形成されたラジアントチューブを炉内に複数本隣接状に設けてなる蓄熱式ラジアントチューブバーナ装置において、被熱物を均一加熱することを可能にするものである。
【０００５】
【課題を解決するための手段】
そのために本発明の蓄熱式ラジアントチューブバーナ装置の燃焼方法は、Ｕ字状に形成されたラジアントチューブをその一方の直線状部が被熱物と相対する形態にて該被熱物の進行方向に沿って定間隔を置いて複数本隣接状に配設し、該各ラジアントチューブの両端にバーナおよび蓄熱体を夫々設け、隣接するラジアントチューブの一方が被熱物に近い側のバーナを燃焼させているとき他方のラジアントチューブは被熱物から遠い側のバーナを燃焼させるようにしたことを特徴とする。
【０００６】
【発明の実施の形態】
次に図面に従い本発明の実施の形態の一例を説明する。図１にこの蓄熱式ラジアントチューブバーナ装置が設けられたストリップ連続熱処理炉を断面図にて示し、図中１は被熱物である金属ストリップ、２は該被熱物１を熱風の吹出しにより浮揚させているフロータである。３ａ〜３ｆは該被熱物１の上側にその進行方向に沿って定間隔を置いて隣接状に配設されたラジアントチューブ、３ｇ，３ｈは該被熱物１の下側に配設されたラジアントチューブである。該ラジアントチューブ３ａ〜３ｆおよびラジアントチューブバーナ３ｇ，３ｈは図２に示したようにＵ字状に形成され、両端が炉側壁４を貫通して炉外に突出している。そして該各ラジアントチューブの両端部内には通気性固体からなる蓄熱体４ａ，４ｂが夫々設けられ、該蓄熱体４ａ，４ｂの中心には燃料ガスを吹出す小管状のバーナ５ａ，５ｂが貫挿されている。なお、上側の各ラジアントチューブ３ａ〜３ｆは鉛直面内に設けられていて一方の直線状部３０ｂは被熱物１の近くにて相対し他方の直線状部３０ａは被熱物１から少し遠くに位置している。また下側の各ラジアントチューブ３ｇ，３ｈは水平面内に設けられていて両直線状部とも被熱物１と等距離にある。本発明は上記ラジアントチューブ３ａ〜３ｈのように複数のラジアントチューブが被熱物１に対して縦に配設されたものに対して適用される。
【０００７】
図３にこれらのラジアントチューブ３ａ〜３ｆに燃料ガスおよび燃焼用空気を供給すると共に、該各ラジアントチューブ３ａ〜３ｆで生じた排ガスを排出させる配管系路を示す。この配管系炉は第１系列ａと第２系列ｂにより構成され、第１系列ａの燃料ガス供給ヘッダ１０ａにはラジアントチューブ３ａのバーナ５ａとラジアントチューブ３ｂのバーナ５ｂとラジアントチューブ３ｃのバーナ５ａとラジアントチューブ３ｄのバーナ５ｂとラジアントチューブ３ｅのバーナ５ａとラジアントチューブ３ｆのバーナ５ｂに燃料ガスを夫々分配する枝管１１ａが接続されている。同じく第１系列ａの燃焼用空気供給ヘッダ１２ａには各ラジアントチューブ３ａの蓄熱体４ａの背後の室６ａとラジアントチューブ３ｂの蓄熱体４ｂの背後の室６ｂとラジアントチューブ３ｃの蓄熱体４ａの背後の室６ａとラジアントチューブ３ｄの蓄熱体４ｂの背後の室６ｂとラジアントチューブ３ｅの蓄熱体４ａの背後の室６ｂとラジアントチューブ３ｆの蓄熱体４ｂの背後の室６ａに燃焼用空気を夫々分配する枝管１３ａが接続されている。また、第１系列ａの排ガスヘッダ１４ａには該各枝管１３ａの先端部付近に至る枝管１５ａを分岐接続している。また、第２系列ｂの燃料ガス供給ヘッダ１０ｂにはラジアントチューブ３ａのバーナ５ｂとラジアントチューブ３ｂのバーナ５ａとラジアントチューブ３ｃのバーナ５ｂとラジアントチューブ３ｄのバーナ５ａとラジアントチューブ３ｅのバーナ５ｂとラジアントチューブ３ｆのバーナ５ａに燃料ガスを夫々分配する枝管１１ｂが接続されている。また、第２系列ｂの燃焼用空気供給ヘッダ１２ｂにはラジアントチューブ３ａの蓄熱体４ｂの背後の室６ｂとラジアントチューブ３ｂの蓄熱体４ａの背後の室６ａとラジアントチューブ３ｃの蓄熱体４ｂの背後の室６ｂとラジアントチューブ３ｄの蓄熱体４ａの背後の室６ａとラジアントチューブ３ｅの蓄熱体４ｂの背後の室４ａとラジアントチューブ３ｆの蓄熱体４ａの背後の室４ｂに燃焼用空気を分配する枝管１３ｂが接続され、第２系列ｂの排ガスヘッダ１４ｂには該各枝管１３ｂの先端部付近に至る枝管１５ｂを分配接続している。
【０００８】
２０ａ，２０ｂは燃料ガス供給源から天然ガス等の燃料ガスを燃料ガス供給ヘッダ１０ａ，１０ｂに各々送給する切換弁、２１ａ，２１ｂは給気ブロワから燃焼用空気を燃焼用空気供給ヘッダ１２ａ，１２ｂに夫々送給する切換弁である。また、２２ａ，２２ｂは排ガスヘッダ１４ａ，１４ｂの燃焼排ガスを夫々屋外に排出させる切換弁である。なお、各バーナ５ａ，５ｂの先端部付近にはパイロットバーナ（図示せず）が設けられている。
【０００９】
このため、切換弁２０ａ，２１ａ，２２ｂを開き、切換弁２２ａ，２０ｂ，２１ｂを閉止させ、第１系列ａの燃料ガス供給ヘッダ１０ａ，燃焼用空気供給ヘッダ１２ａより燃料ガスおよび燃焼用空気をラジアントチューブ３ｂ，３ｄ，３ｆの被熱物１に近い側のバーナ５ｂに供給するとともにラジアントチューブ３ａ，３ｃ，３ｅの被熱物１から遠い側のバーナ５ａに夫々供給し、そのとき、第２系列ｂの排ガスヘッダ１４ｂを通してラジアントチューブ３ａ，３ｃ，３ｅの室６ｂおよびラジアントチューブ３ｂ，３ｄ，３ｆの室６ａより排ガスを排出させる。そして、この燃焼状態を例えば９秒間続けた後、各切換弁の開閉状態を反転させ、切換弁２２ａ，２０ｂ，２１ｂを開き、切換弁２０ａ，２１ａ，２２ｂを閉じることにより、第２系列ｂの燃料ガス供給ヘッダ１０ｂ，燃焼用空気供給ヘッダ１２ｂより燃料ガスおよび燃焼用空気をラジアントチューブ３ａ，３ｃ，３ｅのバーナ５ｂ，室６ｂ、およびラジアントチューブ３ｂ，３ｄ，３ｆのバーナ５ａ，室６ａに夫々供給し、第１系列ａの排ガスヘッダ１４ａを通してラジアントチューブ３ａ，３ｃ，３ｅの室６ａおよびラジアントチューブ３ｂ，３ｄ，３ｆの室６ｂより燃焼排ガスを排出させる。
【００１０】
なお、蓄熱体４ａ，蓄熱体４ｂは燃焼排ガスにより加熱されるため、燃焼交替時にその蓄熱体中に燃焼用空気が流れることによりその燃焼用空気を予熱でき排ガスの熱が有効利用される。
【００１１】
このようにこの実施形態では隣接状に配設された複数本のラジアントチューブ３ａ〜３ｆについて被熱物１と近い側のバーナが１本置きに燃焼状態となり、一定時間でその燃焼状態から交替するようにしたので、各ラジアントチューブ３ａ〜３ｆが有する２つの直線状部３０ａ，３０ｂについて発熱量に差異が生じていたとしても該各ラジアントチューブ３ａ〜３ｆに沿って進行する被熱物１を常に均一に加熱することができる。
【００１２】
なお、この例では、６本のラジアントチューブについて１本置きに被熱物１に近い側と遠い側が燃焼状態となるようにしたが、２本乃至はそれ以上の間隔で燃焼を交替させるようにしてもよい。また、図４および図５に示した本発明の他の実施形態は、ラジアントチューブ３ａ〜３ｊを斜めに設けて被熱物１から遠い側の直線状部３０ａからも被熱物１に副射熱が直接当るようにしたものであり、燃焼中のバーナのある側を斜線を付して示したように、図４の場合では１本置きに被熱物１と近い側のバーナが燃焼状態にあるように、図５の場合では２本を１組として燃焼が交替するようにしている。このように本発明は実施形態に種々の変更を加え得る。
【００１３】
【発明の効果】
このように本発明に係る蓄熱式ラジアントチューブバーナ装置の燃焼方法は、Ｕ字状に形成された複数の蓄熱式ラジアントチューブバーナを炉内に被熱物の進行方向に沿って隣接状に配設したものについて被熱物から近い側のバーナと遠い側のバーナとが一時に燃焼されるようにし、それが一定時間毎に交替させるようにしたので、従来のように被熱物の通過時期により不均一加熱が発生するおそれはなく常に均一加熱を達成できる顕著な効果がある。
【図面の簡単な説明】
【図１】本発明に係る蓄熱式ラジアントチューブバーナ装置を備えた連続熱処理炉の縦断面図。
【図２】本発明に係る蓄熱式ラジアントチューブバーナ装置の実施形態を示す配管図。
【図３】本発明に係る蓄熱式ラジアントチューブバーナ装置の実施形態を示す配管系統図。
【図４】本発明に係る蓄熱式ラジアントチューブバーナ装置の他の実施形態を示すラジアントチューブの配置図。
【図５】本発明に係る蓄熱式ラジアントチューブバーナ装置の他の実施形態を示すラジアントチューブの配置図。
【符号の説明】
１                被熱物
３ａ〜３ｆ        ラジアントチューブ
４ａ，４ｂ        蓄熱体
５ａ，５ｂ        バーナ
６ａ，６ｂ        室
３０ａ，３０ｂ    直線状部
【図１】
0003645033.tif 000002
【図２】
0003645033.tif 000003
【図３】
0003645033.tif 000004
【図４】
0003645033.tif 000005
【図５】
0003645033.tif 000006